(57)【要約】  フィールドシーケンシャル方式のプロジェクターであって、原色の波長域にピーク波長を有する原色光を出力する、原色の波長域におけるピーク波長が異なる複数の光源と、複数の光源から出力された原色光を空間的に変調して画像光を形成する映像形成素子を含む、映像形成素子まで複数の光源から出力された原色光を導く照明光学系と、映像形成素子で形成された画像光を投射する投射光学系とを有する。
2016158297.tif 000002
【特許請求の範囲】
【請求項１】
フィールドシーケンシャル方式のプロジェクターであって、
原色の波長域にピーク波長を有する原色光を出力する、前記原色の波長域における前記ピーク波長が異なる複数の光源と、
前記複数の光源から出力された原色光を空間的に変調して画像光を形成する映像形成素子を含む、前記映像形成素子まで前記複数の光源から出力された原色光を導く照明光学系と、
前記映像形成素子で形成された画像光を投射する投射光学系と、
を有し、
前記複数の光源から出力される原色光のうち、ピーク波長が最長の原色光の輝度と、ピーク波長が最短の原色光の輝度とが同じであるプロジェクター。
【請求項２】
フィールドシーケンシャル方式のプロジェクターであって、
原色の波長域にピーク波長を有する原色光を出力する、前記原色の波長域における前記ピーク波長が異なる複数の光源と、
前記複数の光源から出力された原色光を空間的に変調して画像光を形成する映像形成素子を含む、前記映像形成素子まで前記複数の光源から出力された原色光を導く照明光学系と、
前記映像形成素子で形成された画像光を投射する投射光学系と、
を有し、
前記複数の光源に流れる電流値が同じであるプロジェクター。
【請求項３】
請求項１または２に記載のプロジェクターにおいて、
前記原色光は青色光であり、
前記複数の光源から出力された青色光がそれぞれ照射される、該青色光を励起光として蛍光を発する蛍光体領域、並びに該青色光を反射させる反射領域を備えた蛍光体ホイールをさらに有するプロジェクター。
【請求項４】
請求項１または２に記載のプロジェクターにおいて、
前記原色光は青色光であり、
前記複数の光源から出力された青色光がそれぞれ照射される、該青色光を励起光として蛍光を発する蛍光体領域、並びに該青色光を透過させる透過領域を備えた蛍光体ホイールをさらに有するプロジェクター。
【請求項５】
請求項３に記載のプロジェクターにおいて、
前記複数の光源から出力された青色光を前記蛍光体ホイールまで導くダイクロイックミラーと、
前記蛍光体ホイールと前記ダイクロイックミラーとの間の光路上に配置された１／４波長板と、
をさらに有し、
前記ダイクロイックミラーは、
前記複数の光源から出力された第１の直線偏光から成る青色光を反射させ、前記蛍光体ホイールから前記１／４反射板を介して入射される第２の直線偏光から成る青色光を透過させるプロジェクター。
【請求項６】
請求項４に記載のプロジェクターにおいて、
前記複数の光源から出力された青色光を前記蛍光体ホイールまで導くダイクロイックミラーと、
前記蛍光体ホイールを透過した青色光を前記ダイクロイックミラーまで導くリレー光学系と、
をさらに有し、
前記ダイクロイックミラーは、
前記複数の光源から出力された青色光及び前記蛍光体ホイールから前記リレー光学系を介して入射される青色光を透過させ、前記蛍光体ホイールから発せされた蛍光を反射させるプロジェクター。
【請求項７】
請求項５または６に記載のプロジェクターにおいて、
赤色光を透過させる赤色透過フィルター、緑色光を透過させる緑色透過フィルター及び青色光を拡散させつつ透過させる拡散領域を備え、前記ダイクロイックミラーを介して、前記蛍光体ホイールからの蛍光が前記赤色透過フィルター及び前記緑色透過フィルターに照射され、前記蛍光体ホイールからの青色光が前記拡散領域に照射されるカラーホイールをさらに有し、
前記カラーホイールは、
前記赤色透過フィルター、前記緑色透過フィルター及び前記拡散領域に、前記蛍光体ホイールからの蛍光及び青色光が順次照射されるように回転されるプロジェクター。
【請求項８】
請求項１から７のいずれか１項に記載のプロジェクターにおいて、
前記光源は、レーザ光を出力する半導体素子であるプロジェクター。
【請求項９】
請求項１から８のいずれか１項に記載のプロジェクターにおいて、
前記複数の光源が出力する原色光のピーク波長は４００ｎｍから４８０ｎｍの範囲であるプロジェクター。
【請求項１０】
請求項１から９のいずれか１項に記載のプロジェクターにおいて、
前記複数の光源として、出力光のピーク波長が異なる第１光源及び第２光源を備え、
前記第１光源及び前記第２光源は、
行方向または列方向で隣接する光源が互いに異なるように、交互に配置されたプロジェクター。
【請求項１１】
請求項１から９のいずれか１項に記載のプロジェクターにおいて、
前記複数の光源が、電気的に直列に接続されたプロジェクター。
【請求項１２】
請求項１１に記載のプロジェクターにおいて、
前記複数の光源が２以上の光源を有する複数のブロックに分割され、前記ブロック毎に、前記２以上の光源が電気的に直列に接続されたプロジェクター。
【請求項１３】
フィールドシーケンシャル方式のプロジェクターにおける画像光投射方法であって、
原色の波長域にピーク波長を有する、前記原色の波長域における前記ピーク波長が異なる原色光を複数の光源から出力し、
前記複数の光源から出力された原色光を、該原色光を空間的に変調して画像光を形成する映像形成素子まで照明光学系により導き、
前記映像形成素子で形成された画像光を投射光学系により投射し、
前記複数の光源から出力される原色光のうち、ピーク波長が最長の原色光の輝度と、ピーク波長が最短の原色光の輝度とが同じである画像光投射方法。
【請求項１４】
フィールドシーケンシャル方式のプロジェクターにおける画像光投射方法であって、
原色の波長域にピーク波長を有する、前記原色の波長域における前記ピーク波長が異なる原色光を複数の光源から出力し、
前記複数の光源から出力された原色光を、該原色光を空間的に変調して画像光を形成する映像形成素子まで照明光学系により導き、
前記映像形成素子で形成された画像光を投射光学系により投射し、
前記複数の光源に流れる電流値が同じである画像光投射方法。
【発明の詳細な説明】
【技術分野】
【０００１】
本発明は画像光を投射するプロジェクター及び画像光投射方法に関する。
【背景技術】
【０００２】
カラー映像を投射するプロジェクターには、高速に回転するカラーホイールを用いて光源から出力された白色光を赤、緑、青の三原色の色光に順次分離し、分離された各色光を映像信号にしたがって順次光変調することでカラー映像を形成するフィールドシーケンシャル方式（単板方式とも呼ばれる）の構成が知られている。光変調に用いる映像形成素子には、液晶パネルやＤＭＤ（Digital Micro-mirror Device：登録商標）等が利用される。【０００３】
上述したカラーホイールを用いるプロジェクターでは、従来、高輝度な放電ランプ等を光源として用いる構成が主流であった。しかしながら、近年は光源の長寿命化や低消費電力化等を実現するため、レーザダイオードやＬＥＤ（Light Emitting Diode）等の半導体素子を光源に用いたプロジェクターが開発されている。
例えば、特許文献１（特開２０１４−１３９６８９号公報）には紫外光及び青色光を発光するＬＥＤやレーザダイオードを光源に用いたプロジェクターが記載されている。また、特許文献２（特開２０１２−２１２１２９号公報）には青色光を発光するレーザダイオードを光源に用いたプロジェクターが記載されている。【０００４】
光源としてＬＥＤやレーザダイオードを用いる場合、該ＬＥＤやレーザダイオードは、通常、単一波長光しか出力できない。そのため、特許文献１や２に記載されたプロジェクターでは、赤、緑、青の三原色の各色光を得るために、光源から出力された光を励起光として蛍光体に照射し、該光源から直接得られない色光をそれぞれ蛍光体で発光させている。例えば、青色のレーザ光を発光するレーザダイオードを光源に用いる場合は、蛍光体で赤色光や緑色光を発光させる。蛍光体は、発光する色光によって（蛍光体の種類によって）発光効率が異なるため、特許文献１では、波長が異なる２種類以上の光源を備え、蛍光体に応じて励起光として用いる光源を切り換えることを提案している。【０００５】
なお、蛍光体の発光効率の差異による影響は蛍光体の種類を減らすことでも軽減できる。例えば、青色のレーザ光を励起光に用いて赤色光及び緑色光を発光させる場合、赤色光と緑色光とを個別の蛍光体で発光させるのはなく、赤色と緑色の成分を含む黄色光を発光する蛍光体を用いることが考えられる。その場合、カラーホイールを用いて該黄色光から赤色光及び緑色光を色分離すればよい。以下では、光源や蛍光体等を備えた、映像形成素子にカラー映像を形成するための各色光を出力する装置を光源装置と称す。【０００６】
このように、青色のレーザ光を発光するレーザダイオードを光源装置に備えるプロジェクターでは、放電ランプ等を光源装置に備えるプロジェクターよりも色純度や彩度が高い青色光を得ることができる。
しかしながら、放電ランプ等を備える光源装置と同程度の輝度の各色光をレーザダイオードを備える光源装置から出力させる場合、青色光は、赤色光や緑色光と同一輝度であっても、赤色光や緑色光よりも明るく見えてしまう。これはレーザ光で得られる青色光の彩度が高いことが原因であり、ヘルムホルツ・コールラウシュ効果（Ｈ−Ｋ効果）として知られている。
したがって、青色のレーザ光を光源に用いると、青色光と、赤色光及び緑色光との彩度の差が大きくなり、放電ランプ等を光源とするプロジェクターよりも投射映像にカラーブレーキングがより顕著に表れてしまう。
【先行技術文献】
【特許文献】
【０００７】
【特許文献１】特開２０１４−１３９６８９号公報
【特許文献２】特開２０１２−２１２１２９号公報
【発明の概要】
【０００８】
本発明は投射映像のカラーブレーキングを低減できるプロジェクター及び画像光投射方法を提供することを目的とする。
【０００９】
上記目的を達成するため本発明のプロジェクターは、フィールドシーケンシャル方式のプロジェクターであって、
原色の波長域にピーク波長を有する原色光を出力する、前記原色の波長域における前記ピーク波長が異なる複数の光源と、
前記複数の光源から出力された原色光を空間的に変調して画像光を形成する映像形成素子を含む、前記映像形成素子まで前記複数の光源から出力された原色光を導く照明光学系と、
前記映像形成素子で形成された画像光を投射する投射光学系と、
を有し、
前記複数の光源から出力される原色光のうち、ピーク波長が最長の原色光の輝度と、ピーク波長が最短の原色光の輝度とが同じである。
または、フィールドシーケンシャル方式のプロジェクターであって、
原色の波長域にピーク波長を有する原色光を出力する、前記原色の波長域における前記ピーク波長が異なる複数の光源と、
前記複数の光源から出力された原色光を空間的に変調して画像光を形成する映像形成素子を含む、前記映像形成素子まで前記複数の光源から出力された原色光を導く照明光学系と、
前記映像形成素子で形成された画像光を投射する投射光学系と、
を有し、
前記複数の光源に流れる電流値が同じである。
【００１０】
一方、本発明の画像光投射方法は、フィールドシーケンシャル方式のプロジェクターにおける画像光投射方法であって、
原色の波長域にピーク波長を有する、前記原色の波長域における前記ピーク波長が異なる原色光を複数の光源から出力し、
前記複数の光源から出力された原色光を、該原色光を空間的に変調して画像光を形成する映像形成素子まで照明光学系により導き、
前記映像形成素子で形成された画像光を投射光学系により投射し、
前記複数の光源から出力される原色光のうち、ピーク波長が最長の原色光の輝度と、ピーク波長が最短の原色光の輝度とが同じである方法である。
または、フィールドシーケンシャル方式のプロジェクターにおける画像光投射方法であって、
原色の波長域にピーク波長を有する、前記原色の波長域における前記ピーク波長が異なる原色光を複数の光源から出力し、
前記複数の光源から出力された原色光を、該原色光を空間的に変調して画像光を形成する映像形成素子まで照明光学系により導き、
前記映像形成素子で形成された画像光を投射光学系により投射し、
前記複数の光源に流れる電流値が同じである方法である。
【図面の簡単な説明】
【００１１】
【図１】図１は、本発明のプロジェクターが備える光源装置の一構成例を示す模式図である。
【図２】図２は、図１に示した光源装置が備える蛍光体ホイールの一例を示す模式図である。
【図３】図３は、図１に示した光源装置が備えるカラーホイールの一例を示す模式図である。
【図４】図４は、図１に示した光源装置が備える光源の配置例を示す模式図である。
【図５Ａ】図５Ａは、図１に示した光源装置が備える光源の接続例を示す模式図である。
【図５Ｂ】図５Ｂは、図１に示した光源装置が備える光源の他の接続例を示す模式図である。
【図６】図６は、ダイクロイックミラーの分光透過率特性及び光源の発光スペクトルの一例を示すグラフである。
【図７】図７は、本発明のプロジェクターの一構成例を示す模式図である。
【図８】図８は、本発明のプロジェクターの他の構成例を示す模式図である。
【発明を実施するための形態】
【００１２】
次に本発明について図面を参照して説明する。
上述したように、Ｈ−Ｋ効果は、彩度が高い青色のレーザ光が実際よりも明るく見えることで起こる。したがって、カラーブレーキングは青色光の「彩度」または「輝度」を下げれば低減すると考えられる。
しかしながら、青色光の輝度を変動させると、赤、緑、青の各色光を合成することで白色光を生成する投射映像（カラー映像）の色味が変わってしまうために好ましくない。例えば、青色光の輝度を下げると、投射映像全体が黄色寄りの映像となってしまう。
そこで、本発明では、青色光の「彩度」を下げることでカラーブレーキングを低減させる。具体的には、ピーク波長が異なる青色光を出力する複数種類のレーザダイオードを光源として用意し、それらを同時に発光させて青色光の波長領域幅を広げることで青色光の彩度を低下させる。
【００１３】
図１は、本発明のプロジェクターが備える光源装置の一構成例を示す模式図である。
図１に示すように、光源装置１は、光源１ａ、コリメータレンズ１ｂ、レンズ１ｃ〜１ｅ、１ｉ、１ｋ及び１ｍ、ミラー１ｆ、拡散板１ｇ、ダイクロイックミラー１ｈ、１／４波長板１ｊ、蛍光体ユニット１ｌ、並びにカラーフィルタユニット１ｎを備える。
光源１ａには、青色の波長域にピーク波長を有する青色光を出力する、半導体素子である複数の青色レーザダイオード（ＬＤ）が用いられる。各青色ＬＤからは、例えばＳ偏光の青色レーザ光が出力される。
コリメータレンズ１ｂは、青色ＬＤ毎に設けられ、各青色ＬＤから出力された青色光を平行光束に変換する。
レンズ１ｃ〜１ｅは、光源１ａからコリメータレンズ１ｂを介して入射される各青色光（入射光束）を、光束径を縮小した平行光束に変換する。出射光束の径を入射光束よりも小さくすることで、レンズ１ｃ〜１ｅ以降に配置される部材のサイズを小さくできる。ここでは３つのレンズ１ｃ〜１ｅを用いる例を示しているが、レンズの数は３つに限定されるものではなく、必要に応じて増減してもよい。
【００１４】
レンズ１ｃ〜１ｅから出射したレーザ光（青色光）は、ミラー１ｆにより光路が変更されて拡散板１ｇに入射され、該拡散板１ｇにて拡散された後、ダイクロイックミラー１ｈに入射される。
レーザ光は、コヒーレントな光であり、拡散せずに伝播するため、光源１ａの出力光がそのまま蛍光体ユニット１ｌまで到達すると、後述する蛍光体ホイール上に青色ＬＤ毎の各出力光がそれぞれ集光した状態で照射される。その場合、蛍光体ホイール上における各集光部位の温度が上昇して蛍光体ホイールの破損を招くおそれがある。拡散板１ｇは、青色ＬＤ毎の各出力光が均一な強度分布で蛍光体ホイール上に照射されるように、青色ＬＤ毎の各出力光を拡散させる。
【００１５】
ダイクロイックミラー１ｈは、Ｓ偏光（第１の直線偏光）で入射する光に対して、光源１ａの波長よりも長い第１の波長以上の光を透過し、第１の波長未満の光を反射する特性を有する。また、ダイクロイックミラー１ｈは、Ｐ偏光（第２の直線偏光）で入射する光に対して、光源１ａの波長よりも短い第２の波長以上の光を透過し、第２の波長未満の光を反射する特性を有する。このような特性を有するダイクロイックミラー１ｈは、誘電体多層膜によって実現できる。
ダイクロイックミラー１ｈは、拡散板１ｇを介して入射されたレーザ光（青色光）を蛍光体ユニット１ｌへ導く。ダイクロイックミラー１ｈと蛍光体ユニット１ｌとの間の光路上には、１／４波長板１ｊ、並びにレンズ１ｉ及び１ｋが配置されている。
【００１６】
蛍光体ユニット１ｌは、レーザ光（青色光）を励起光として発光する蛍光体が設けられた蛍光体領域及びレーザ光（青色光）を反射する反射領域が配置された蛍光体ホイール１０と、該蛍光体ホイール１０を回転させるモータを含む駆動部とを有する。図２に蛍光体ホイール１０の一例を示す。
図２に示すように、蛍光体ホイール１０は、黄色光を発光する蛍光体が設けられた黄色蛍光体領域１０Ｙと、レーザ光（青色光）を反射する反射膜（鏡）が設けられた反射領域１０Ｂとを備えている。黄色蛍光体領域１０Ｙ及び反射領域１０Ｂは、蛍光体ホイール１０の円周に沿って並ぶように配置されている。黄色蛍光体領域１０Ｙ及び反射領域１０Ｂの円周方向における面積の割合（円周方向の分割比）は、光源装置１の出力光に含む黄色光、赤色光、緑色光及び青色光の光強度のバランスに応じて適宜設定される。
【００１７】
１／４波長板１ｊは、一方の面から入射された直線偏光（ここではＳ偏光）を円偏光に変換し、他方の面から入射された円偏光を、上記一方の面から入射される直線偏光とは異なる偏光面（９０°異なる）の直線偏光（Ｐ偏光）に変換する。そのため、ダイクロイックミラー１ｈからの青色光（Ｓ偏光）は、１／４波長板１ｊを通過することで円偏光となる。レンズ１ｉ及び１ｋは、１／４波長板１ｊを通過した青色光（円偏光）を蛍光体ユニット１ｌの蛍光体ホイール１０上に集光する。このとき、蛍光体ホイール１０を回転させることで、レンズ１ｋを通過した青色光（円偏光）が黄色蛍光体領域１０Ｙ及び反射領域１０Ｂに順次照射される。黄色蛍光体領域１０Ｙでは青色光（円偏光）により励起された蛍光体が黄色蛍光（非偏光）を発する。反射領域１０Ｂはレンズ１ｉ及び１ｋを通過した青色光（円偏光）を該レンズ１ｋ方向へ反射する。
【００１８】
黄色蛍光体領域１０Ｙからの黄色蛍光と反射領域１０Ｂからの青色光（円偏光）とは、レンズ１ｋ及び１ｉ、並びに１／４波長板１ｊを順次通過してダイクロイックミラー１ｈに入射される。レンズ１ｋ及び１ｉは、蛍光体ホイール１０からの光が平行光となるレンズ構成であればよく、必要に応じて増減してもよい。
ここで、反射領域１０Ｂからの青色光（円偏光）は、１／４波長板１ｊを再び通過することで、光源１ａの偏光（Ｓ偏光）から１／２波長位相が異なる直線偏光（Ｐ偏光）に変換されてダイクロイックミラー１ｈに入射される。黄色蛍光体領域１０Ｙからの黄色蛍光は、振動方向がランダムな偏光（非偏光）であるため、１／４波長板１ｊを透過しても光の特性は変化しない。また、ダイクロイックミラー１ｈは、青色光よりも波長が十分に長い黄色光を透過させるため、１／４波長板１ｊを通過した黄色蛍光（非偏光）及び青色光（Ｐ偏光）はダイクロイックミラー１ｈを透過し、レンズ１ｍによって集光されてカラーフィルタユニット１ｎに照射される。
【００１９】
カラーフィルタユニット１ｎは、照射光を色分離するカラーホイール１１と該カラーホイール１１を回転させるモータを含む駆動部とを有する。図３にカラーホイール１１の一例を示す。図３に示すように、カラーホイール１１は、黄色透過フィルター１１Ｙ、赤色透過フィルター１１Ｒ、緑色透過フィルター１１Ｇ及び拡散板（拡散領域）１１Ｂを有する。図３は、カラーホイール１１に黄色透過フィルター１１Ｙを備える構成例を示しているが、黄色透過フィルター１１Ｙは無くてもよい。
黄色透過フィルター１１Ｙ、赤色透過フィルター１１Ｒ、緑色透過フィルター１１Ｇ及び拡散板１１Ｂは、カラーホイール１１の円周に沿って並ぶように配置されている。
黄色透過フィルター１１Ｙ、赤色透過フィルター１１Ｒ及び緑色透過フィルター１１Ｇの領域は、図２に示した蛍光体ホイール１０の黄色蛍光体領域１０Ｙに対応し、拡散板１１Ｂの領域は図２に示した蛍光体ホイール１０の反射領域１０Ｂに対応する。黄色透過フィルター１１Ｙ、赤色透過フィルター１１Ｒ、緑色透過フィルター１１Ｇ及び拡散板１１Ｂの円周方向における面積の割合（円周方向の分割比）は、図２に示した蛍光体ホイール１０のそれぞれに対応する領域の割合と同じである。
【００２０】
蛍光体ホイール１０及びカラーホイール１１は、互いに同期して回転するように対応する駆動部により制御される。黄色蛍光体領域１０Ｙが発する黄色蛍光には、赤色成分及び緑色成分、並びにそれらを混色した黄色成分の光を含む。そのため、黄色成分の光が黄色透過フィルター１１Ｙを透過し、赤色成分の光が赤色透過フィルター１１Ｒを透過し、緑色成分の光が緑色透過フィルター１１Ｇを透過する。反射領域１０Ｂからの青色光は、拡散板１１Ｂにより拡散されつつ出力される。拡散板１１Ｂによる青色光の拡散角は、例えば１０度程度であればよいが、必要に応じて適宜変更できる。
【００２１】
このような構成において、上述したように、本実施形態では光源１ａとしてピーク波長が異なる複数種類の青色ＬＤ（励起光源）を用いて青色光の波長領域幅を広げることで、青色光の彩度を低下させて、カラーブレーキングを低減する。
【００２２】
青色ＬＤには、例えば、出力光のピーク波長が４５０ｎｍ付近の青色ＬＤと、出力光のピーク波長が４６０ｎｍ付近の青色ＬＤとを用いる。光源１ａに用いる青色ＬＤは２種類に限定されるものではなく、より多くの種類を備えていてもよい。以下では、光源１ａに用いる一方の青色ＬＤを第１青色ＬＤ１２と称し、光源１ａに用いる他方の青色ＬＤを第２青色ＬＤ１３と称す。
第１青色ＬＤ１２及び第２青色ＬＤ１３は、例えば図４に示すように格子状に配列され、行方向及び列方向で隣接する青色ＬＤが互いに異なるように交互に配置される。第１青色ＬＤ１２及び第２青色ＬＤ１３は、格子状に配列される必要はなく、千鳥状に配列されていてもよい。図４は、第１青色ＬＤ１２及び第２青色ＬＤ１３を、６行４列の格子状に配列する例を示している。青色ＬＤの数は、６×４＝２４個に限定されるものではなく、必要に応じて増減してもよい。
【００２３】
上述したように、光源１ａが備える第１青色ＬＤ及び第２青色ＬＤの出力光は拡散板１ｇによって拡散される。また、カラーホイール１１通過後の光は、後述するようにライトトンネル２ａによって輝度分布が均一化される。但し、本実施形態の光源装置１では、光源１ａとしてピーク波長が異なる複数種類の青色ＬＤを用いるため、例えば第１青色ＬＤ１２や第２青色ＬＤ１３が偏って配置されると、蛍光体ホイール１０やカラーホイール１１に照射される光に輝度ムラや色ムラが生じてしまう。したがって、第１青色ＬＤ１２及び第２青色ＬＤ１３は、図４に示したように、行方向及び列方向で隣接する青色ＬＤが互いに異なるように、交互に配置することが好ましい。光源１ａとして、より多くの種類の青色ＬＤを用いる場合も、同一種類の青色ＬＤが偏って配置されないようにすればよい。
【００２４】
また、光源１ａが備える第１青色ＬＤ１２及び第２青色ＬＤ１３の輝度が異なっていると、輝度が高い青色光がより明るく見えることで青色光の彩度が高くなってしまう。そのため、光源１ａが備える第１青色ＬＤ１２及び第２青色ＬＤ１３の輝度は同じ（または同程度）にする。その場合、第１青色ＬＤ１２から出力される青色光と第２青色ＬＤ１３から出力される青色光の混色光の彩度を最も低減できる。光源１ａとして、より多くの種類の青色ＬＤを用いる場合も、ピーク波長が最長の青色光の輝度とピーク波長が最短の青色光の輝度とを同じ（または同程度）にすればよい。
第１青色ＬＤ１２の輝度と第２青色ＬＤ１３の輝度とを同じにするには、例えば第１青色ＬＤ１２と第２青色ＬＤ１３とが同様の特性（順電流−相対光度特性）の場合、第１青色ＬＤ１２と第２青色ＬＤ１３とに流す電流値を同じにすればよい。その場合、例えば図５Ａ及びＢに示すように配線基材１４を用いて複数の第１青色ＬＤ１２及び第２青色ＬＤ１３を交互に直列に接続すれば、該直列に接続された第１青色ＬＤ１２及び第２青色ＬＤ１３に流れる電流値をそれぞれ同じにできる。光源１ａとして、より多くの種類の青色ＬＤを用いる場合も、各青色ＬＤを直列に接続してそれらに流れる電流値をそれぞれ同じにすればよい。
なお、図５Ａでは第１青色ＬＤ１２及び第２青色ＬＤ１３が３つのブロックに分割され、図５Ｂでは第１青色ＬＤ１２及び第２青色ＬＤ１３が２つのブロックに分割されて、ブロック毎に第１青色ＬＤ１２及び第２青色ＬＤ１３が直列に接続される構成例を示している。すなわち、図５Ａ及びＢは、それぞれが２以上の光源を有する複数のブロックに分割された例を示している。これらのブロックは、直列に接続されて共通の電源装置から電流が供給されてもよく、ブロック毎に個別の電源装置から同じ電源電流が供給されてもよい。
【００２５】
また、上述したように光源１ａの出力光は、拡散板１ｇによって拡散されることで、第１青色ＬＤ１２から出力される青色光と第２青色ＬＤ１３から出力される青色光とが混色した色光が蛍光体ホイール１０に照射される。したがって、光源１ａに用いる青色ＬＤは、混色光の状態で所望の青色光が得られる波長領域内にピーク波長があればよい。例えば、従来、光源として用いていた放電ランプ等で得られる青色光の波長は４００ｎｍ〜４８０ｎｍであるため、光源１ａに用いる青色ＬＤも４００ｎｍ〜４８０ｎｍの範囲にピーク波長があればよい。
但し、光源１ａに用いる青色ＬＤのピーク波長は、光源装置１が備えるダイクロイックミラー１ｈの特性も考慮して選択することが望ましい。
【００２６】
図６は、ダイクロイックミラーの分光透過率特性及び光源の発光スペクトルの一例を示すグラフである。図６は、Ｓ偏光（Ｔｓ）の青色光の及びＰ偏光（Ｔｐ）の青色光の分光透過率特性の一例をそれぞれ示している。
上述したように、図１に示した光源装置１が備えるダイクロイックミラー１ｈは、Ｓ偏光のカットオフ波長（第１の波長）からＰ偏光のカットオフ波長（第２の波長）までの波長域において、Ｓ偏光とＰ偏光とを分離できる。
図６に示す特性を有するダイクロイックミラーは、Ｓ偏光の青色光のカットオフ波長が４８０ｎｍ付近にあり、Ｐ偏光の青色光のカットオフ波長が４３０ｎｍ付近にある。なお、図６では、出力光のピーク波長が４５０ｎｍ付近の青色ＬＤの発光スペクトルと出力光のピーク波長が４６０ｎｍ付近の青色ＬＤの発光スペクトルとを同時に示している。
したがって、Ｓ偏光のカットオフ波長（第１の波長）よりも長い波長域、並びにＰ偏光のカットオフ波長（第２の波長）よりも短い波長域では、ダイクロイックミラー１ｈによるＳ偏光とＰ偏光の分離が不可能になる。そのため、光源１ａに用いる青色ＬＤは、上記第１の波長から第２の波長までの範囲内にピーク波長があるものを選択すればよい。通常、ダイクロイックミラー１ｈの上記第１の波長から第２の波長までは、およそ５０ｎｍ程度である。そのため、光源１ａには、ピーク波長の差の範囲が５０ｎｍ以内となるような複数種類の青色ＬＤを用いればよい。
【００２７】
次に図１に示した光源装置１を備えるプロジェクターの一例について図面を用いて説明する。
図７は、本発明のプロジェクターの一構成例を示す模式図である。
図７に示すように、プロジェクターは、光源装置１、照明光学系２及び投射光学系３を有する。
光源装置１には、図１に示した光源装置１を用いればよい。
照明光学系２は、ライトトンネル２ａ、レンズ２ｂ、２ｃ及び２ｅ、ミラー２ｄ、並びに映像形成素子２ｆを備える。投射光学系３は投射レンズから構成される。
【００２８】
光源装置１が備えるカラーフィルタユニット１ｎを通過した黄色光、赤色光、緑色光及び青色光は照明光学系２のライトトンネル２ａに入射される。
ライトトンネル２ａは、入射された光を繰り返し全反射させることで輝度分布が均一となるようにして出力する。ライトトンネル２ａから出力された光は、レンズ２ｂ及び２ｃ、ミラー２ｄ、並びにレンズ２ｅを介して映像形成素子２ｆに照射される。
【００２９】
映像形成素子２ｆは、赤、緑、黄及び青の光束をそれぞれ空間的に変調し、色光毎の画像光を形成する。映像形成素子２ｆには、上述したＤＭＤを用いればよい。映像形成素子２ｆで形成された画像光は、投射光学系３が備える投射レンズにより拡大されて不図示のスクリーン等に投射される。
【００３０】
本発明によれば、光源装置１としてピーク波長が異なる青色光を出力する複数種類の青色ＬＤを備えることで、光源装置１から出力される青色光の彩度が低下する。
そのため、投射映像のカラーブレーキングを低減できるプロジェクターが得られる。
【００３１】
なお、図７は、蛍光体ホイール１０で反射した青色光を映像形成素子（ＤＭＤ）２ｆまで導く光源装置１及び照明光学系２を備えた構成例を示しているが、プロジェクターの光学系は図７に示した構成に限定されるものではない。例えば、蛍光体ホイールを透過した青色光を映像形成素子（ＤＭＤ）まで導く光学系を備えたプロジェクターもある。図８はそのようなプロジェクターの構成例を示している。
【００３２】
図８は、本発明のプロジェクターの他の構成例を示す模式図である。
図８に示すプロジェクターは、励起光学系１００、リレー光学系２００、色合成系３００、照明光学系４００及び投射光学系５００を有する。図８に示すプロジェクターでは、励起光学系１００、リレー光学系２００及び色合成系３００が、図１に示した光源装置１に相当する。
【００３３】
励起光学系１００は、光源１００ａ、コリメータレンズ１００ｂ、レンズ１００ｃ〜１００ｅ、１００ｇ及び１００ｈ、蛍光体ユニット１００ｉ、並びに拡散板１ｆを備える。リレー光学系２００は、レンズ２００ａ、２００ｂ、２００ｄ及び２００ｆ、並びにミラー２００ｃ、２００ｅ及び２００ｇを備える。色合成系３００は、ダイクロイックミラー３００ａ、レンズ３００ｂ及びライトトンネル３００ｃを備える。照明光学系４００は、レンズ４００ａ、４００ｂ及び４００ｄ、ミラー４００ｃ、並びに映像形成素子（ＤＭＤ）４００ｅを備える。投射光学系５００は投射レンズから構成される。
【００３４】
光源１００ａには、図１に示した光源装置１と同様に、ピーク波長が異なる青色光を出力する複数種類の青色レーザダイオード（ＬＤ）が用いられる。
コリメータレンズ１００ｂは、青色ＬＤ毎に設けられ、青色ＬＤから出力された青色光を平行光束に変換する。
レンズ１００ｃ〜１００ｅは、光源１００ａからコリメータレンズ１００ｂを介して入射される各青色光（入射光束）を、光束径を縮小した平行光束に変換する。ここでは３つのレンズ１００ｃ〜１００ｅを用いているが、レンズの数は３つに限定されるものではなく、必要に応じて増減してもよい。
レンズ１００ｃ〜１００ｅから出射した青色光は、拡散板１００ｆに入射され、該拡散板１００ｆにて拡散された後、ダイクロイックミラー３００ａに入射される。
【００３５】
図８に示すダイクロイックミラー３００ａは、波長が比較的短い青色光を透過させ、波長が比較的長いその他の色光（黄色光、緑色光、赤色光等）を反射する特性を備えている。すなわち、図１に示した光学装置１が備えるダイクロイックミラー１ｈのように、偏光（Ｓ偏光及びＰ偏光）によって青色光の透過／反射を切り換える構成ではない。そのため、図８に示すプロジェクター（光学装置）では、ダイクロイックミラー３００ａの特性を考慮して、光源１００ａに用いる青色ＬＤのピーク波長を選択する必要がない。その場合、光源１００ａに用いる青色ＬＤは、４００ｎｍ〜４８０ｎｍの範囲にピーク波長があるものを用いることができる。
【００３６】
蛍光体ユニット１００ｉは、レーザ光（青色光）を励起光として発光する蛍光体が設けられた蛍光体領域及びレーザ光（青色光）を透過させる透過領域が配置された蛍光体ホイールと、該蛍光体ホイールを回転させるモータを含む駆動部とを有する。蛍光体ホイールには、例えば赤色光を発光する蛍光体が設けられた赤色蛍光体領域、緑色光を発光する蛍光体が設けられた緑色蛍光体領域、青色光を透過させる透過領域が設けられている。蛍光体ホイールには、黄色光を発光する蛍光体が設けられた黄色蛍光体領域が設けられていてもよい。
ダイクロイックミラー３００ａを透過した青色光はレンズ１００ｇ及び１００ｈにより蛍光体ユニット１００ｉが備える蛍光体ホイール上に集光する。このとき、蛍光体ホイールを回転させることで、レンズ１００ｈを通過した青色光（円偏光）が、赤色蛍光体領域、緑色蛍光体領域及び透過領域に順次照射される。その結果、蛍光体ホイールは、赤色光及び緑色光を順次発光し、それに続いて青色光を透過させる。なお、赤色光の発光、緑色光の発光及び青色光の透過の順番は、映像形成素子により形成する画像光の色の順に一致していればよく、赤、緑、青の順である必要はない。
【００３７】
蛍光体ホイールを透過した青色光は、リレー光学系２００によってダイクロイックミラー３００ａまで導かれ、ダイクロイックミラー３００ａを透過した後、レンズ３００ａにより集光されてライトトンネル３００ｃへ入射される。
【００３８】
一方、青色光を励起光にして発光した蛍光体ホイールからの赤色蛍光及び緑色蛍光は、レンズ１００ｇ及び１００ｈを通過してダイクロイックミラー３００ａへ入射される。ダイクロイックミラー３００ａは、蛍光体ホイールからの赤色蛍光及び緑色蛍光を反射して光路を変更し、ライトトンネル３００ｃへ導く。
【００３９】
ライトトンネル３００ｃから出力された光は、図１に示したプロジェクターと同様に、レンズ４００ａ及び４００ｂ、ミラー４００ｃ、並びにレンズ４００ｄを介して映像形成素子（ＤＭＤ）４００ｅに照射される。映像形成素子４００ｅで形成された画像光は、投射光学系５００が備える投射レンズ５００ａにより拡大されて不図示のスクリーン等に投射される。
【００４０】
図８に示した構成においても、投射映像のカラーブレーキングを低減できるプロジェクターが得られる。
さらに、図８に示した光源装置（励起光学系１００、リレー光学系２００及び色合成系３００）では、ダイクロイックミラー３００ａの特性を考慮して、光源１００ａに用いる青色ＬＤのピーク波長を選択する必要がない。そのため、図１に示した光源装置１と比べて光源１００ａに用いる青色ＬＤの選択自由度が向上する。
【００４１】
以上、実施形態を参照して本願発明を説明したが、本願発明は上記実施形態に限定されものではない。本願発明の構成や詳細は本願発明のスコープ内で当業者が理解し得る様々な変更が可能である。
【図１】
2016158297.tif 000003
【図２】
2016158297.tif 000004
【図３】
2016158297.tif 000005
【図４】
2016158297.tif 000006
【図５Ａ】
2016158297.tif 000007
【図５Ｂ】
2016158297.tif 000008
【図６】
2016158297.tif 000009
【図７】
2016158297.tif 000010
【図８】
2016158297.tif 000011
【国際調査報告】
2016158297.tif 000012
2016158297.tif 000013
2016158297.tif 000014
2016158297.tif 000015